(57)【要約】【課題】護岸、岸壁、桟橋などの海洋構造物の周辺に多くの魚が集まり、海藻類が繁茂するような場を創出できるようにした環境配慮型海洋構造物を提供する。【解決手段】鋼管矢板１からなる海洋構造物本体と当該海洋構造物本体に取り付けられた複数の漁礁材３とから構成する。漁礁材３は円形の筒状に形成された漁礁材本体３ａと漁礁材本体３ａ内に充填された餌料培養基材３ｂとから構成する。漁礁材３は鋼管矢板１の側面部に漁礁材取付け具４によって取り外しできるように取り付ける。漁礁材本体３ａはポリエチレン樹脂などの樹脂材から形成し、その側部および底部の全体を格子状または網状に形成する。漁礁材本体３ａはポ餌料培養基材３ｂにはホタテやアコヤ等の貝殻を利用する。【選択図】図１
2011001714.tif 000002
【特許請求の範囲】
【請求項１】
鋼管矢板、鋼矢板またはコンクリートケーソンからなる海洋構造物本体と当該海洋構造物本体に取り付けられた複数の漁礁材とからなる環境配慮型海洋構造物において、漁礁材は筒状に形成された漁礁材本体と漁礁材本体内に充填された餌料培養基材とから構成され、前記鋼管矢板、鋼矢板またはコンクリートケーソンに漁礁材取付け具によって脱着自在に取り付けられてなることを特徴とする環境配慮型海洋構造物。
【請求項２】
漁礁材は格子状または網状に構成されてなることを特徴とする請求項１記載の環境配慮型海洋構造物。
【請求項３】
餌料培養基材は、貝殻であることを特徴とする請求項１または２記載の環境配慮型海洋構造物。
【発明の詳細な説明】
【技術分野】
【０００１】
本発明は、環境改善、生物共生の手段(藻場造成、海藻類による二酸化炭素削減等)に配慮した環境配慮型海洋構造物に関し、例えば鋼管矢板やコンクリートケーソン等からなる既設または新設の護岸、岸壁または桟橋などの海洋構造物に適用される。
【背景技術】
【０００２】
一般に、でこぼこした地形の海底やサンゴの密集したサンゴ礁には、微生物や小型生物が住みつき、海草類が繁茂しやすい。このため、これらの周辺は魚にとって格好の餌場であり、また良好な魚の隠れ場でもあるため、自然に魚が多く住みつき、結果的に海を育て、海を育み環境改善に大いに寄与する。
【０００３】
逆にそういった場に乏しい平坦な海底、護岸や岸壁などの海洋構造物の周辺には、微生物や小型生物が住みにくく、また海草類も生育しにくいため、漁礁周辺にみられるような魚が集まることはほとんどなく、環境改善、生物共生の手段を講ずることが望まれる。
【０００４】
従来、こういった場にも魚が住みつき、海藻類が繁茂するようにコンクリートブロック等を人為的に沈めて人工漁礁とする試みが広く行われている。
【先行技術文献】
【特許文献】
【０００５】
【特許文献１】特開２００４−３３９８５８号公報
【特許文献２】特開２００６−０５５１６３号公報
【特許文献３】特開２００６−２４１７５４号公報
【特許文献４】特開２００９−４１１９４号公報
【発明の概要】
【発明が解決しようとする課題】
【０００６】
護岸、岸壁、桟橋などの海洋構造物は、その多くが鋼管矢板やコンクリートケーソン等によって構築されているため、微生物や小型生物が付着しにくく、漁礁周辺にみられるような魚が住みつくことはきわめて少ない。
【０００７】
その一方で、既設および新設の護岸、岸壁、桟橋などの海洋構造物についても、環境改善、生物共生の手段に配慮した構造とすることが求められている。
【０００８】
本発明は、以上のような現状に鑑みてなされたもので、護岸、岸壁、桟橋などの海洋構造物の周辺に多くの魚が集まり、海藻類が繁茂するような場を創出できるようにした環境配慮型海洋構造物を提供することを目的とする。
【課題を解決するための手段】
【０００９】
請求項１記載の環境配慮型海洋構造物は、鋼管矢板、鋼矢板またはコンクリートケーソンからなる海洋構造物本体と当該海洋構造物本体に取り付けられた複数の漁礁材とからなる環境配慮型海洋構造物において、漁礁材は筒状に形成された漁礁材本体と漁礁材本体内に充填された餌料培養基材とから構成され、前記鋼管矢板、鋼矢板またはコンクリートケーソンに漁礁材取付け具によって脱着自在に取り付けられてなることを特徴とするものである。
【００１０】
本発明は、これまで、ほとんど小型魚類が住みつくことも、海藻類が繁茂しそうにもない護岸などの海洋構造物の周辺に小型魚類が集まり、多種の海藻類が繁茂するような場を作り出して海洋構造物周辺の環境改善と二酸化炭素の削減などに大いに寄与できるようにしたものである。
【００１１】
餌料培養基材としては、エビやカニ類の餌漁生物が付着し、これらの生物が生育する環境を作りだせるものであればよく、例えばカキ、ホタテ、アコヤなどの貝殻、ポーラスコンクリートの塊、さらには砕石などを利用することができる。
【００１２】
特に、カキ、ホタテ、アコヤなどの貝殻は、漁礁材本体内に充填されることにより微生物や小型生物、さらには海藻類が付着しやすい餌料培養床を形成し、特に貝殻にはエビやカニ類の餌漁生物が付着しやすく、また貝殻や砕石などの重ね合わせにより漁礁本体内に複雑な空間が多数形成されるため、多くの微生物や小型生物の増殖に好適な環境を作りだすことができる。
【００１３】
さらに、多種の海草類が付着し生育して繁茂することにより小型魚類の格好の隠れ家にもなるので、自然に魚介類が増え、結果として環境改善、二酸化炭素の削減に大いに寄与することができる。
【００１４】
漁礁材本体は、貝殻などの餌料培養基材を充填することができる形状であればよく、筒状が形状も単純で製作しやすい。また、ステンレス等の耐腐蝕性の金属やポリエチレン樹脂などの樹脂材から形成するのが望ましい。
【００１５】
漁礁材取付け具は、腐食しにくく、漁礁材を護岸などの海洋構造物に確実に固定することができ、かつ自由に取り外しできるような構成であれば、形状や構造等は特に限定されるものではない。
【００１６】
請求項２記載の環境配慮型海洋構造物は、請求項１記載の環境配慮型海洋構造物において、漁礁材本体は格子状または網状に形成されてなることを特徴とするものである。
【００１７】
漁礁材本体の側部と底部の全体を格子状または網状に形成して、中の餌料培養基材が常に浸水状態におくことにより餌料培養基材に付着したエビやカニ類の餌漁生物の生育を促すことができる。なお、漁礁材本体は、例えばポリエチレン樹脂などの樹脂から形成することができる。
【００１８】
請求項３記載の環境配慮型海洋構造物は、請求項１または２記載の環境配慮型海洋構造物において、餌料培養基材は貝殻からなることを特徴とするものである。
【００１９】
特に、カキ、ホタテ、アコヤなどの貝殻は、エビやカニ類の餌漁生物が付着しやすく、また貝殻や砕石などの重ね合わせにより漁礁本体内に複雑な空間が多数形成されるため、多くの微生物や小型生物の増殖に好適な環境を作りだすことができ、また、貝殻の利用は廃棄物の減量化とリサイクルの推進にもなり好ましい。
【発明の効果】
【００２０】
本発明は、護岸、岸壁、桟橋杭などの海洋構造の本体に筒状の漁礁材本体と当該漁礁材本体内に充填された貝殻などの餌料培養基材とからなる漁礁材を取り付けることにより、これまで、ほとんど小型魚類が住みつくことも、海藻類が繁茂しそうにもなかった海洋構造物の周辺に小型魚類が集まり、多種の海藻類が繁茂するような場を作り出すことができ、これにより海洋構造物周辺の環境改善と二酸化炭素の削減、などに寄与することができる。
【００２１】
この場合、貝殻などの餌料培養基材に付着した二枚貝やホヤ類などの生物が海水中の窒素やリンを取り込んでいる植物プランクトンを捕食することによる富栄養化防止機能が期待できる。
【００２２】
また、餌料培養基材に付着した海藻類の栄養塩類の取り込みによる富栄養化防止機能、光合成が期待でき、さらに地域によっては、ナマコの増加による微生物の糞や死骸の分解が期待でき、これらにより二酸化炭素の削減や水質浄化効果などが期待できる。さらに、餌料培養基材として、カキ、ホタテ、アコヤなどの貝殻類を利用することにより、廃棄物の減量化とリサイクルの推進に寄与する。
【図面の簡単な説明】
【００２３】
【図１】護岸、岸壁を構成する鋼管矢板の側部に漁礁材が設置され、鋼管矢板に漁礁材取付け具によって固定されている状態を示し、（ａ）は横断面図、（ｂ）は側面図である。
【図２】護岸、岸壁を構成する鋼管矢板の側部に漁礁材が設置され、鋼管矢板に漁礁材取付け具によって固定されている状態を示し、（ａ）は横断面図、（ｂ）は側面図である。
【図３】護岸、岸壁を構成する鋼管矢板の側部に漁礁材が設置され、鋼管矢板に漁礁材取付け具によって固定されている状態を示し、（ａ）は横断面図、（ｂ）は側面図である。
【図４】護岸、岸壁を構成する鋼管矢板の側部に漁礁材が設置され、鋼管矢板に漁礁材取付け具によって固定されている状態を示し、（ａ）は横断面図、（ｂ）は側面図である。
【図５】護岸、岸壁を構成するＵ字型鋼矢板の側部に漁礁材が設置され、Ｕ字型鋼矢板に漁礁材取付け具によって固定されている状態を示し、（ａ）は横断面図、（ｂ）は側面図である。
【図６】護岸、岸壁を構成するコンクリートケーソンの側部に漁礁材が設置され、コンクリートケーソンの側部に漁礁材取付け具によって固定されている状態を示し、（ａ）は側面図、（ｂ）は縦断面図である。
【図７】護岸、岸壁を構成するコンクリートケーソンの側部に漁礁材が設置され、コンクリートケーソンの側部に漁礁材取付け具によって固定されている状態を示し、（ａ）は側面図、（ｂ）は縦断面図である。
【図８】護岸、岸壁を構成するコンクリートケーソンの側部に漁礁材が設置され、コンクリートケーソンの側部に漁礁材取付け具によって固定されている状態を示し、（ａ）は横断面図、（ｂ）は縦断面図である。
【図９】桟橋杭を構成する鋼管矢板の側部に漁礁材が設置され、鋼管矢板の側部に漁礁材取付け具によって固定されている状態を示し、（ａ）は横断面図、（ｂ）は側面図である。
【図１０】桟橋杭を構成する鋼管矢板の側部に漁礁材が設置され、鋼管矢板の側部に漁礁材取付け具によって固定されている状態を示し、（ａ）は横断面図、（ｂ）は側面図である。
【図１１】桟橋杭を構成する鋼管矢板の側部に漁礁材が設置され、鋼管矢板の側部に漁礁材取付け具によって固定されている状態を示し、（ａ）は横断面図、（ｂ）は側面図である。
【発明を実施するための形態】
【００２４】
図１（ａ），（ｂ）は、本発明の一実施形態を示し、図において、符号１は、護岸、岸壁、桟橋などの海洋構造物本体を構成する鋼管矢板であり、鋼管矢板１はその直径方向に互いに隣接して配置され、かつ継手２を介して互いに結合されている。
【００２５】
また、隣接する鋼管矢板１，１間に複数の漁礁材３，３が鋼管矢板１の軸直角方向に並列にかつ鋼管矢板１の軸方向に鉛直に配置され、各漁礁材３，３は鋼管矢板１，１に漁礁材取付け具４を介してそれぞれ固定されている。
【００２６】
漁礁材３は漁礁材本体３ａと餌料培養基材３ｂとから構成され、漁礁材本体３ａはステンレス等の耐腐蝕性の金属またはポリエチレン樹脂などの樹脂材から円筒形に形成され、かつその側部および底部の全体が格子状または網目状に形成されている。
【００２７】
餌料培養基材３ｂはホタテやアコヤ等の貝殻であり、漁礁材本体３ａ内に充填されている。ホタテやアコヤなどの貝殻にはエビやカニ類の餌漁生物が付着しやすく、また貝殻の重ね合わせにより漁礁材本体３ａ内に複雑な空間が多数形成されることで、多くの微生物や小型生物の増殖に好適な環境を作りだしている。
【００２８】
さらに、多種の海草類が付着し生育して繁茂することにより小型魚類の格好の隠れ家をも構成し、自然に魚介類が増え結果として環境改善、二酸化炭素の削減に寄与するようになっている。
【００２９】
漁礁材取付け具４は、隣接する鋼管矢板１，１間に跨る横寸法を有する矩形枠状に形成され、その上枠４ａと下枠４ｂのほぼ中央に漁礁材３，３を横ずけにして収納可能な収納凹部５，５が鋼管矢板１側に凹んだ状態で形成されている。
【００３０】
また、漁礁材取付け具４の上枠４ａと下枠４ｂが鋼管矢板１，１の側面部に複数の取付けボルト６によってボルト止めされている。そして、上下収納凹部５，５内に漁礁材３，３が横付けされ、かつ上枠４ａと下枠４ｂにステンレスまたは合成樹脂などからなる固定バンド７，７によって固定されている。
【００３１】
なお、漁礁材取付け具４を既設の鋼管矢板１に突設する場合、取付けボルト６は鋼管矢板の側面部にスタッド溶接し、一方、漁礁材取付け具４を新設の鋼管矢板１に突設する場合、取付けボルト６は鋼管矢板１の側面部に形成したボルト孔に固定ナットで固定すればよい。
【００３２】
図２（ａ），（ｂ）は、図１（ａ），（ｂ）に図示する実施形態において、下枠４ｂの収納凹部５に漁礁材３を受ける底板４ｄを設けて漁礁材３の抜け落ちを防止するようにしたものである。
【００３３】
図１および図２の実施形態によれば、特に漁礁材３，３が隣接する鋼管矢板１，１間の凹部内に入り込む形で設置されていることにより、隣接する鋼管矢板１，１間に陰、よどみを作り、小型魚類の良好な生息環境を作りだすことができる。
【００３４】
図３(ａ)，(ｂ)は、本発明の他の実施形態を示し、隣接する鋼管矢板１，１間に複数の漁礁材３，３が鋼管矢板１の軸直角方向に並列に、かつ鋼管矢板１の軸方向に鉛直に配置されている。そして、各漁礁材３，３は鋼管矢板１，１に複数の漁礁材取付け具８によって固定されている。
【００３５】
漁礁材取付け具８は、円形のリング状に形成された漁礁材把持部８ａと漁礁材把持部８ａの一側部に突設されたアンカー部８ｂとから構成されている。漁礁材把持部８ａは漁礁材３を挿通可能な内径に形成され、かつ複数の漁礁材取付け孔８ｃが円周方向に所定間隔おきに形成されている。
【００３６】
また、アンカー部８ｂを鋼管矢板１の側面部にスタッド溶接するか、あるいは鋼管矢板１の側部に形成した取付け孔に固定ナットによって固定する等の方法により鋼管矢板１の側部に水平に突設されている。
【００３７】
漁礁材３は漁礁材把持部８ａ内に設置され、かつ漁礁材取付け孔８ｃを貫通する取付け金物または結束線によって固定されている。こうして、各漁礁材３は上下両端部と中間部の複数ヶ所が複数の漁礁材取付け具８によって固定されている。
【００３８】
図４（ａ），（ｂ）は、図３（ａ），（ｂ）に図示する実施形態において、漁礁材３の下端部を固定する漁礁材取付け具８を漁礁材把持部８ｂに漁礁材３を受ける底部を設けてカップ状とすることにより、漁礁材３の抜け落ちを防止するようにしたものである。
【００３９】
図３および図４の実施形態によれば、各漁礁材３が鋼管矢板１に漁礁材取付け具８によって個別に固定されているので、各漁礁材３を固定する位置を自由に設定することができる。また、漁礁材取付け具８は簡単な形状をしていることにより製作が容易であり、漁礁材を少ない取付け具により低コストで設置することができる。
【００４０】
図５（ａ），（ｂ）は、本発明の他の実施形態を示し、図において、符号９は、護岸、岸壁などの海洋構造物本体を構成するＵ字型鋼矢板であり、Ｕ字型鋼矢板９はその幅方向に互いに隣接して配置され、かつ継手２を介して互いに結合されている。
【００４１】
また、隣接するＵ字型鋼矢板９，９間の凹部９ａ内に複数の漁礁材３，３がＵ字型鋼管矢板９の軸直角方向に並列に、かつＵ字型鋼管矢板９の軸方向に鉛直に配置されている。そして、各漁礁材３，３はＵ字型鋼管矢板９，９に漁礁材取付け具４と固定バンド７によって固定されている。
【００４２】
なお、下枠４ｂの収納凹部５に漁礁材３を受ける底板を設けて漁礁材３の抜け落ちを防止するようにすることは、図２（ａ），（ｂ）に図示する実施形態と同じである。
【００４３】
この実施形態によれば、図１および図２の実施形態と同様に、漁礁材３，３が隣接する鋼管矢板１，１間の凹部内に入り込む形で設置されていることにより、隣接する鋼管矢板１，１間に陰、よどみを作り、小型魚類の良好な生息環境を作りだすことができる。
【００４４】
図６（ａ），（ｂ）は、本発明の他の一実施形態を示し、図において、符号１０は、護岸、岸壁などの海洋構造物本体を構成するコンクリートケーソンであり、コンクリートケーソン１０の側壁部に漁礁材取付け具１１が取り付けられ、漁礁材取付け具１１の上に複数の漁礁材３，３が水平にした状態で上下方向に複数段に固定されている。
【００４５】
漁礁材取付け具１１は、漁礁材３の長さとほぼ同等の横寸法を有する矩形枠状に形成され、その上枠１１ａと下枠１１ｂおよび左右縦枠１１ｃがコンクリートケーソン１０の側部に複数のアンカーボルト１２によって固定されている。
【００４６】
そして、各漁礁材３の両端部と中間部が左右縦枠１１ｃと中間縦枠１１ｄに固定バンド７によってそれぞれ固定されている。
【００４７】
なお、コンクリートケーソン１０が新設の場合、コンクリートケーソン１０の壁面部にインサート（雌ねじ）を埋め込み、これにアンカーボルト１２を締め付け、一方、コンクリートケーソン１０が既設の場合は、コンクリートケーソン１０の壁面部にケミカルアンカーを打ち込み、これにアンカーボルト１２を締め付けるようにすれば、アンカーボルト１２を締め付けるための削孔、打ち込み等の作業を省略することができる。  
【００４８】
図７（ａ），（ｂ）は、図６（ａ），（ｂ）に図示する実施形態において、漁礁材３が取り付けられた漁礁材取付け具１１がコンクリートケーソン１０の側壁部に形成された凹部１０ａ内に取り付けられている場合を示したものであり、この実施形態によれば、複数の漁礁材３をコンクリートケーソン１０の壁面より突出しないように取り付けることができる。
【００４９】
図６および図７の実施形態によれば、必要な数の漁礁材３をコンクリートケーソンの側壁部に一個の漁礁材取付け具８によって強固に取り付けることができる。また特に、図７の実施形態によれば、漁礁材３，３が隣接する鋼管矢板１，１間の凹部内に入り込む形で設置されていることにより、隣接する鋼管矢板１，１間に陰、よどみを作り、小型魚類の良好な生息環境を作りだすことができる。
【００５０】
図８(ａ)，(ｂ)は、本発明の他の実施形態を示し、複数の漁礁材３，３がコンクリートケーソン１０の壁面部に水平にして複数段に配置され、かつ各漁礁材３，３はコンクリートケーソン１０の壁面部に複数の漁礁材取付け具８によって固定されている。
【００５１】
この場合、コンクリートケーソン１０が新設の場合、コンクリートケーソン１０の壁面部にインサート（雌ねじ）を埋め込み、これに漁礁材取付け具８を結合し、一方、コンクリートケーソン１０が既設の場合は、コンクリートケーソン１０の壁面部にケミカルアンカーを打ち込み、これに漁礁材取付け具８を結合するようにすれば、漁礁材取付け具８を突設するための削孔、打ち込み等の作業を省略することができる。
【００５２】
また、漁礁材３はコンクリートケーソン１０の側壁部に漁礁材取付け具８によって個別に固定されているので、各漁礁材３を固定する位置を自由に設定することができる。また、漁礁材取付け具８は簡単な形状をしていることにより製作が容易であり、漁礁材を少ない取付け具により低コストで設置することができる。
【００５３】
図９(ａ)，（ｂ）は、本発明の他の実施形態を示し、図において、符号１３は、桟橋杭を構成する鋼管矢板であり、鋼管矢板１３の外周部に複数の漁礁材３が鋼管矢板１３の円周方向に並列に、かつ鋼管矢板１３の軸方向に鉛直に配置されている。そして、各漁礁材３は鋼管矢板１３に複数の漁礁材取付け具８によって固定されている。
【００５４】
この場合、各漁礁材３の上下両端部と中間部を鋼管矢板１３に固定すること、および漁礁材３の下端部を固定する漁礁材取付け具８を漁礁材把持部８ｂに漁礁材３を受ける底部を設けてカップ状にすることにより、漁礁材３の抜け落ちを防止するようにしたことは、図３（ａ），（ｂ）に図示する実施形態と同じである。
【００５５】
また、漁礁材３は鋼管矢板１３の側壁部に漁礁材取付け具８によって個別に固定されているので、各漁礁材３を固定する位置を自由に設定することができる。また、漁礁材取付け具８は簡単な形状をしていることにより製作が容易であり、漁礁材を少ない取付け具により低コストで設置することができる。
【００５６】
図１０（ａ），（ｂ）は、本発明の他の実施形態を示し、図において、桟橋杭を構成する鋼管矢板１３の外周部に複数の漁礁材３がその円周方向に並列に、かつ鋼管矢板１３の軸方向に鉛直に配置されている。そして、各漁礁材３は鋼管矢板１３に漁礁材取付け具１４によって固定されている。
【００５７】
漁礁材取付け具１４は、円形のリング状に形成された漁礁材把持部１４ａと漁礁材把持部１４ａが所定間隔おきに取り付けられたベルトスリング１４ｂとから構成されている。
【００５８】
漁礁材把持部１４ａは漁礁材３を挿通可能な内径に形成され、かつ複数の漁礁材取付け孔１４ｃが円周方向に所定間隔おきに形成されている。また、ベルトスリング１４ｂには締付金具１４ｃが取り付けられている。
【００５９】
そして、ベルトスリング１４ｂを鋼管矢板１３に巻き付け、かつ締付金具１４ｃを締め付けることにより落下しないように固定されている。また、各漁礁材３は漁礁材把持部１４ａ内に設置され、かつ漁礁材取付け孔１４ｃを貫通する取付け金物または結束材によって漁礁材把持部１４ａに固定されている。
【００６０】
なお、漁礁材把持部１４ａとベルトスリング１４ｂはステンレス等の金属または合成樹脂などから一体に形成されている。
【００６１】
また、漁礁材３の上下両端部と中間部の複数ヶ所を鋼管矢板１３に固定すること、および漁礁材３の下端部を固定する漁礁材取付け具１４の漁礁材把持部１４ｂに漁礁材３を受ける底部を設けてカップ状にすることにより、漁礁材３の抜け落ちを防止するようにしたことは、図３（ａ），（ｂ）に図示する実施形態と同じである。
【００６２】
この実施形態によれば、ベルトスリング１４ｂを利用して多数の漁礁材３を設置することができ、また径の異なる鋼管矢板１３が複数混在するような場合でも、締付金具１４ｃによってベルトスリング１４ｂを締め付けることにより対処することができる。
【００６３】
図１１（ａ），（ｂ）は、図１０（ａ），（ｂ）に図示する実施形態において、ベルトスリング１４ｂの代わりに取付けプレート１４ｃを備えた漁礁材取付け具１４によって複数の漁礁材３が鋼管矢板１３の外周に固定されている場合を示したものである。
【００６４】
この場合の取付けプレート１４ｃは、漁礁材３の長さとほぼ同等の高さを有し、鋼管矢板１３に外接する円弧状に形成され、かつ両端部に継手１４ｄ，１４ｄが形成されている。また、漁礁材把持部１４ａは取付けプレート１４ｃに溶接または接着剤などによって固着されている。
【００６５】
そして、漁礁材取付け具１４は、鋼管矢板１３の側部に鋼管矢板１３を抱き込むように添え付けられ、継手１４ｄどうしを複数の連結ボルトによってボルト止めすることにより固定されている。
【００６６】
なお、漁礁材３の上下両端部と中間部の複数ヶ所を固定すること、および漁礁材３の下端部を固定する漁礁材把持部１４ｂに漁礁材３を受ける底部を設けてカップ状とすることにより、漁礁材３の抜け落ちを防止するようにしたことは、図３（ａ），（ｂ）に図示する実施形態と同じである。
【００６７】
この実施形態によれば、取付けプレート１４ｃを利用して多数の漁礁材３を設置することができ、また鋼管矢板の外径に応じて漁礁材把持部１４ａの数量を調整することにより、鋼管矢板１３の外径に応じた適切な数の漁礁材３を設置することができる。
【産業上の利用可能性】
【００６８】
本発明は、ほとんど小型魚類が住みつくことも、海藻類が繁茂しそうにもない護岸、岸壁、桟橋などの海洋構造物の周辺に小型魚類が集まり、多種の海藻類が繁茂するような場を作り出して海洋構造物周辺の環境改善と二酸化炭素の削減に寄与することができる。
ることができる。
【符号の説明】
【００６９】
１  鋼管矢板
２  継手
３  漁礁材
３ａ  漁礁材本体
３ｂ  餌料培養基材
４  漁礁材取付け具
４ａ  上枠
４ｂ  下枠
４ｃ  縦枠
４ｄ  底板
５  収納凹部
５ａ  底部
６  取付けボルト
７  固定バンド
８  漁礁材取付け具
８ａ  漁礁材把持部
８ｂ  アンカー部
８ｃ  漁礁材取付け孔
９  Ｕ字型鋼矢板
１０  コンクリートケーソン
１１  漁礁材取付け具
１２  アンカーボルト
１３  鋼管矢板
１４  漁礁材取付け具
１４ａ  漁礁材把持部
１４ｂ  ベルトスリング
１４ｃ  漁礁材取付け孔
１４ｄ  継手
【図１】
2011001714.tif 000003
【図２】
2011001714.tif 000004
【図３】
2011001714.tif 000005
【図４】
2011001714.tif 000006
【図５】
2011001714.tif 000007
【図６】
2011001714.tif 000008
【図７】
2011001714.tif 000009
【図８】
2011001714.tif 000010
【図９】
2011001714.tif 000011
【図１０】
2011001714.tif 000012
【図１１】
2011001714.tif 000013